(57)【要約】【課題】ＡＶ信号経路の自動構成を行う「ＡＶシステムの自動構成システム及びＡＶシステムの構成方法」を提供する。【解決手段】システム情報サーバ３に、ＡＶシステムを構成するＡＶ機器１１の各組み合わせに対して、当該組み合わせにおけるＡＶ機器１１間のオーディオ信号の経路を定義したシステム構成情報を蓄積する。システムコントローラ１３はＬＡＮを介して各ＡＶ機器１１から機器識別子を収集してシステム情報サーバ３に通知し、システム情報サーバ３は通知された機器識別子が示すＡＶ機器１１の組み合わせに対応するシステム構成情報を応答する。応答を受けたシステムコントローラ１３は、システム構成情報で定義されたオーディオ信号の経路が実現されるように各ＡＶ機器１１のオーディオ信号の送信先をＬＡＮを介して設定する。【選択図】図１
2005176005.tif 000002
【特許請求の範囲】
【請求項１】
制御装置とオーディオとビジュアルとの少なくとも一方を取り扱う複数のＡＶ機器とから構成されるＡＶシステムと、前記制御装置がＷＡＮ（Wide Area Network）を介してアクセスするサーバとを備え、
前記サーバは、
ＡＶシステムを構成するＡＶ機器の種別の各組み合わせに対応して設けた、当該組み合わせにおけるＡＶ機器間の、オーディオ信号とビジュアル信号の少なくともいずれか一方であるＡＶ信号の経路を定義したシステム構成情報を蓄積したデータベースと、
前記制御装置から前記ＷＡＮを介して発行されたシステム構成情報通知要求に応じて、当該システム構成情報通知要求で指定された前記ＡＶ機器の種別の組み合わせに対応するシステム構成情報を前記データベースより探索して、当該システム構成情報通知要求の発行元の前記制御装置に提供するシステム構成情報提供手段とを有し、
前記制御装置は、
前記ＡＶシステムに組み込まれた各ＡＶ機器の種別を収集するＡＶ機器構成収集手段と、
前記ＡＶ機器構成収集手段が収集したＡＶ機器の種別の組み合わせを指定した前記システム構成情報通知要求を前記ＷＡＮを介して前記サーバに発行し、前記サーバより提供されたシステム構成情報を取得するシステム構成情報取得手段と、
前記システム構成情報取得手段が取得したシステム構成情報が示すＡＶ機器間のＡＶ信号の経路に従って各ＡＶ機器間でＡＶ信号が入出力されるように、各ＡＶ機器の設定を行うシステム構成手段とを有することを特徴とするＡＶシステムの自動構成システム。
【請求項２】
請求項１記載のＡＶシステムの自動構成システムであって、
前記ＡＶシステムは自動車に搭載されるＡＶシステムであって、
前記制御装置は、前記ＷＡＮに接続するための無線通信装置を備えることを特徴とするＡＶシステムの自動構成システム。
【請求項３】
請求項２記載のＡＶシステムの自動構成システムであって、
前記ＡＶシステムを構成する複数のＡＶ機器は、オーディオを取り扱うＡＶ機器を含み、
前記サーバのデータベースには、自動車の車種毎に対応して設けたシステム特性情報が記憶されており、かつ、当該各車種に対応するシステム特性情報は、ＡＶシステムを構成するＡＶ機器の種別の各組み合わせに対応して設けた、当該組み合わせにおける各ＡＶ機器の音響特性の定義を含み、
前記サーバのシステム構成情報提供手段は、前記制御装置から前記ＷＡＮを介して発行されたシステム特性情報通知要求に応じて、当該システム特性情報通知要求で指定された車種に対応するシステム特性情報に含まれる、当該システム特性情報通知要求で指定された前記ＡＶ機器の種別の組み合わせに対応する音響特性の定義を前記データベースより探索して、当該システム特性情報通知要求の発行元の前記制御装置に提供し、
前記制御装置のシステム構成情報取得手段は、前記ＡＶ機器構成取得したＡＶ機器の種別の組み合わせと、予め設定された当該ＡＶシステムが搭載された自動車の車種を指定した前記システム特性情報通知要求を前記ＷＡＮを介して前記サーバに発行し、前記サーバより提供された各ＡＶ機器の音響特性の定義を取得し、
前記システム構成手段は、当該ＡＶシステムを構成するＡＶ機器の音響特性が、システム構成情報取得手段が取得したシステム特性情報が示すＡＶ機器の音響特性の定義に従った音響特性となるように、各ＡＶ機器の設定を行うことを特徴とするＡＶシステムの自動構成システム。
【請求項４】
請求項１、２または３記載のＡＶシステムの自動構成システムであって、
前記各ＡＶシステムを構成する各ＡＶ機器は、無線ネットワークによって接続された、車載のＡＶ機器であることを特徴とするＡＶシステム。
【請求項５】
オーディオとビジュアルとの少なくとも一方を取り扱う複数のＡＶ機器とから構成されるＡＶシステムであって、
制御装置を備え、当該前記制御装置は、
前記ＡＶシステムに組み込まれた各ＡＶ機器の種別を収集するＡＶ機器構成収集手段と、
前記ＡＶ機器構成収集手段が収集したＡＶ機器の種別の組み合わせを指定した前記システム設定情報通知要求を、ＷＡＮ（Wide Area Network）を介して、当該ＷＡＮ上に配置されたサーバに発行し、前記サーバより、前記ＡＶ機器構成収集手段が収集したＡＶ機器の種別の組み合わせよりなるＡＶシステムにおける各ＡＶ機器の推奨設定を示すシステム設定情報の提供を受けるシステム設定情報取得手段と、
前記システム設定情報取得手段が提供を受けたシステム設定情報が示す各ＡＶ機器の推奨設定に適合するように各ＡＶ機器の設定を行うシステム構成手段とを有することを特徴とするＡＶシステム。
【請求項６】
制御装置とオーディオとビジュアルとの少なくとも一方を取り扱う複数のＡＶ機器とから構成されるＡＶシステムの自動構成を行うＡＶシステムの自動構成方法であって、
前記制御装置において、前記ＡＶシステムに組み込まれた各ＡＶ機器の種別を収集するステップと、
前記制御装置において、収集したＡＶ機器の種別の組み合わせを指定した前記システム設定情報通知要求を、ＷＡＮ（Wide Area Network）を介して、当該ＷＡＮ上に配置されたサーバに発行するステップと、
前記サーバにおいて、ＡＶシステムを構成するＡＶ機器の種別の各組み合わせに対応して設けた、当該組み合わせにおける各ＡＶ機器の推奨設定を定義したシステム設定情報を蓄積したデータベースから、前記制御装置から前記ＷＡＮを介して発行されたシステム設定情報通知要求で指定された前記ＡＶ機器の種別の組み合わせに対応するシステム設定情報を探索して、当該システム設定情報通知要求の発行元の前記制御装置に提供するステップと、
前記制御装置において、前記サーバから通知されたシステム設定情報が示す各ＡＶ機器の推奨設定にしたがって、各ＡＶ機器の設定を行うステップとを有することを特徴とするＡＶシステムの自動構成方法。
【発明の詳細な説明】
【技術分野】
【０００１】
本発明は、複数の機器より形成されるＡＶシステムの自動構成を行う技術に関するものである。
【背景技術】
【０００２】
複数のＡＶ機器より形成されるＡＶシステムの自動構成を行う技術としては、無線ネットワークで接続された各オーディオ機器間で、オーディオ機器の種別の情報を交換し、オーディオ機器の自律的動作によって、各オーディオ機器の種別に応じたオーディオ信号のオーディオ機器間の経路を自動設定する技術が知られている（たとえば、特許文献１）。
【０００３】
すなわち、この技術では、たとえば、無線ネットワークに接続されたオーディオアンプ装置は、無線ネットワークに接続されている他の装置の種別を調べ、無線ネットワークにスピーカ装置が接続されていれば、そのスピーカ装置を、オーディオアンプ装置のオーディオ出力の出力先として設定する。
【０００４】
なお、本明細書中において、「ＡＶシステム」、「ＡＶ機器」との用語を、オーディオとビジュアルのうちの少なくとも一方を取り扱うシステム、機器の総称として用いている。
【特許文献１】特開平２００１−３５９２００号公報
【発明の開示】
【発明が解決しようとする課題】
【０００５】
前記特許文献１の技術によれば、オーディオ機器の種別とオーディオ出力の出力先の関係、すなわち、オーディオシステムを構成する各オーディオ機器の種別とオーディオシステムの構成との関係が各オーディオ機器に予め定義されている必要がある。
そして、このために、オーディオシステムに新旧のオーディオ機器が混在する場合、旧いオーディオ機器では、オーディオシステムに後に組み込まれた、当該旧いオーディオ機器の製作時に存在しなかった種別の新しいオーディオ機器の種別を認識できず、適切にオーディオ出力の出力先を設定することができなくなる。
【０００６】
そこで、本発明は、任意種別のＡＶ機器の組み合わせによって形成されるＡＶシステムの自動構成を実現することを課題とする。
【課題を解決するための手段】
【０００７】
前記課題達成のために、本発明は、制御装置とオーディオとビジュアルとの少なくとも一方を取り扱う複数のＡＶ機器とから構成されるＡＶシステムと、前記制御装置がＷＡＮ（Wide Area Network）を介してアクセスするサーバとを設け、前記サーバには、ＡＶシステムを構成するＡＶ機器の種別の各組み合わせに対応して設けた、当該組み合わせにおけるＡＶ機器間の、オーディオ信号とビジュアル信号の少なくともいずれか一方であるＡＶ信号の経路を定義したシステム構成情報を蓄積したデータベースと、前記制御装置から前記ＷＡＮを介して発行されたシステム構成情報通知要求に応じて、当該システム構成情報通知要求で指定された前記ＡＶ機器の種別の組み合わせに対応するシステム構成情報を前記データベースより探索して、当該システム構成情報通知要求の発行元の前記制御装置に提供するシステム構成情報提供手段と備え、前記制御装置には、前記ＡＶシステムに組み込まれた各ＡＶ機器の種別を収集するＡＶ機器構成収集手段と、前記ＡＶ機器構成収集手段が収集したＡＶ機器の種別の組み合わせを指定した前記システム構成情報通知要求を前記ＷＡＮを介して前記サーバに発行し、前記サーバより提供されたシステム構成情報を取得するシステム構成情報取得手段と、前記システム構成情報取得手段が取得したシステム構成情報が示すＡＶ機器間のＡＶ信号の経路に従って各ＡＶ機器間でＡＶ信号が入出力されるように、各ＡＶ機器の設定を行うシステム構成手段とを備えたものである。
【０００８】
このようなＡＶシステムの自動構成システムによれば、ＡＶシステムを構成するＡＶ機器の種別に応じたＡＶ機器間のＡＶ信号の経路を、サーバに蓄積されたシステム構成情報に従って自動的に設定することができる。したがって、新しい種別のＡＶ機器の発売等にあわせて、当該新たなＡＶ機器を含む複数のＡＶ機器により構成されるＡＶシステムについてのシステム構成情報をサーバに蓄積するようにすれば、個々のＡＶシステムに含まれるＡＶ機器の新旧にかかわらず、当該ＡＶシステムの適切な自動構成を実現することができる。
【０００９】
ここで、前記ＡＶシステムは自動車に搭載されるＡＶシステムであって良く、この場合には前記制御装置は、前記ＷＡＮに接続するための無線通信装置を備えるようにする。
また、この場合において、前記ＡＶシステムを構成する複数のＡＶ機器が、オーディオを取り扱うＡＶ機器を含む場合には、前記サーバのデータベースには、自動車の車種毎に対応して設けたシステム特性情報を蓄積しておくようにしてもよい。ここで、この各車種に対応するシステム特性情報は、ＡＶシステムを構成するＡＶ機器の種別の各組み合わせに対応して設けた、当該組み合わせにおける各ＡＶ機器の音響特性の定義を含めるようにする。そして、前記サーバの、前記システム構成情報提供手段において、前記制御装置から前記ＷＡＮを介して発行されたシステム特性情報通知要求に応じて、当該システム特性情報通知要求で指定された車種に対応するシステム特性情報に含まれる、当該システム特性情報通知要求で指定された前記ＡＶ機器の種別の組み合わせに対応する音響特性の定義を前記データベースより探索して、当該システム特性情報通知要求の発行元の前記制御装置に提供するようにし、前記制御装置のシステム構成情報取得手段において、前記ＡＶ機器構成取得したＡＶ機器の種別の組み合わせと、予め設定された当該ＡＶシステムが搭載された自動車の車種を指定した前記システム特性情報通知要求を前記ＷＡＮを介して前記サーバに発行し、前記サーバより提供された各ＡＶ機器の音響特性の定義を取得し、前記制御装置の前記システム構成手段において、当該ＡＶシステムを構成するＡＶ機器の音響特性が、システム構成情報取得手段が取得したシステム特性情報が示すＡＶ機器の音響特性の定義に従った音響特性となるように、各ＡＶ機器の設定を行うようにしてもよい。
【００１０】
このようにすることにより、車種毎に異なる車内音響空間と、自動車毎に異なるＡＶシステムを構成するＡＶ機器とに応じて、ＡＶシステムにおいて高音質の音声出力を行えるように、各ＡＶ機器の音響特性を適切に自動設定することができる。
なお、以上のＡＶシステムの自動構成システムにおいて、前記各ＡＶシステムを構成する各ＡＶ機器は、無線ネットワークによって接続された、車載のＡＶ機器であってもよい。
また、以上のＡＶシステムの自動構成システムにおいては、以上のようなＡＶ機器間のＡＶ信号の経路やＡＶ機器の音響特性以外のＡＶ機器の設定の定義を、サーバから、ＡＶシステムを構成するＡＶ機器の組み合わせやＡＶ機器が搭載された車種に応じて制御装置に提供し、制御装置において提供された定義に従って各ＡＶ機器の設定を行うようにしてよい。
【発明の効果】
【００１１】
以上のように本発明によれば、任意種別のＡＶ機器の組み合わせによって形成されるＡＶシステムの自動構成を実現することができる。
【発明を実施するための最良の形態】
【００１２】
以下、本発明の実施形態について車載のＡＶシステムへの適用を例にとり説明する。
図１ａに、本実施形態に係るＡＶシステムの自動構成システムの構成を示す。
図示するように、本実施形態は各々自動車に搭載される車載ＡＶシステム１と、車載システムが無線通信によって接続するＷＡＮ（Wide Area Network）２を介してアクセス可能なシステム情報サーバ３とより構成される。
また、各車載ＡＶシステム１は、複数のＡＶ機器１１と、ＡＶ機器１１が無線通信を介して接続する無線ステーション１２と、無線ステーション１２に接続し、車載ＡＶシステム１のシステム構成やシステム特性を制御するシステムコントローラ１３とを含んで構成される。
ここで、無線ステーション１２は、無線通信や有線通信を介して、ＡＶ機器及びシステムコントローラ１３が相互に通信を行うためのＬＡＮを提供する装置であり、各ＡＶ機器１１及びシステムコントローラ１３間のデータの中継を行う。
【００１３】
また、ＡＶ機器１１は、たとえば、図１ｂに示すように車内に配置された、無線ネットワークを介してデジタルオーディオ信号を受信し受信したデジタルオーディオ信号をアナログ信号に変換してスピーカ１１２に増幅出力するオーディオアンプ１１１や、ＣＤ−ＤＡを再生するＣＤプレイヤ１１３や、オーディオ信号に対してイコライズ処理やサラウンド処理を行うオーディオプロセッサ１１４や、ユーザに対する情報表示やユーザからの操作受け付けを行うユーザインタフェース制御装置１１５などの装置である。
【００１４】
次に、システム情報サーバ３は、図２に示すようにＷＡＮ２に接続するためのＷＡＮインタフェース３１、システム情報提供部３２、システム構成データベース３３、システム特性データベース３４とを備える。
また、システムコントローラ１３は、ＷＡＮ２との間で無線通信を行うための移動電話端末などの無線通信装置１３１、システム構成制御部１３２、ＡＶデータ処理部１３３、無線ステーション１２が提供するＬＡＮに接続するためのＬＡＮインタフェース１３４を備えている。
【００１５】
また、各ＡＶ機器１１は、無線ステーション１２が提供するＬＡＮに無線通信を介して接続するための無線ＬＡＮインタフェース１１０１、機器制御部１１０２、ＡＶデータ処理部１１０３を備えている。
ここで、システムコントローラ１３のＡＶデータ処理部１３３やＡＶ機器１１のＡＶデータ処理部１１０３は、デジタルオーディオ信号やデジタルビジュアル信号であるＡＶ信号の処理を行う機能部であり、たとえば、ＡＶ機器１１においてＡＶ機能部は、そのＡＶ機器１１がオーディオアンプ１１１であればデジタルオーディオ信号をアナログ信号に変換してスピーカ１１２に増幅して出力する機能部であり、ＣＤプレイヤ１１３であればＣＤ−ＤＡからデジタルオーディオ信号を再生する機能部であり、オーディオプロセッサ１１４であればデジタルオーディオ信号に対してイコライズ処理やサラウンド処理などの各種音響処理を行う機能部である。
【００１６】
さて、このような構成において、システム情報サーバ３のシステム構成データベース３３には、車載ＡＶシステム１を構成するＡＶ機器１１の組み合わせと、当該ＡＶ機器１１の組み合わせ時に推奨される車載ＡＶシステム１構成との対応を記述したシステム構成情報が格納されている。また、システム情報サーバ３のシステム特性データベース３４には、車載ＡＶシステム１を構成するＡＶ機器１１と当該車載ＡＶシステム１が搭載される自動車の車種の組み合わせと、当該ＡＶ機器１１の組み合わせ時に推奨される車載ＡＶシステム１の音響特性との対応が記述されたシステム音響特性情報が格納されている。
【００１７】
すなわち、システム構成情報は、図３ａに示すように、オーディオ系システム構成情報と、ビジュアル系システム構成情報とよりなる。そして、オーディオ系システム構成情報には、ＡＶ機器１１の種別／型番を表す機器識別子の組み合わせである機器セット毎に、当該機器セットで車載ＡＶシステム１を構成する場合の、オーディオ信号のＡＶ機器１１間の経路の定義がシステム構成情報として記述されている。また、ビジュアル系システム構成情報には、ＡＶ機器１１の種別／型番を表す機器識別子の組み合わせである機器セット毎に、当該機器セットで車載ＡＶシステム１を構成する場合の、ビジュアル信号のＡＶ機器１１間の経路の定義がシステム構成情報として記述されている。
【００１８】
次に、システム特性情報は、図３ｂに示すように、自動車の車種毎に設けた車種システム音響特性情報を有する。そして、各車種システム音響特性情報は、ＡＶ機器１１の種別／型番を表す機器識別子の組み合わせである機器セット毎に、当該機器セットで、対応する車種の自動車内に車載ＡＶシステム１を構成する場合に、各ＡＶ機器１１にセットする周波数特性などの音響特性の定義が音響特性データとして記述されている。
【００１９】
以下、このような車載ＡＶシステム１における自動構成動作について説明する。
図４に、システムコントローラ１３のシステム構成制御部１３２が行うシステム構成処理の手順を示す。
図示するように、この処理では、システムコントローラ１３のＬＡＮインタフェース１３４が所定のネットワーク接続処理によってＬＡＮに接続したならば（ステップ４０２）、まず、他の各ＡＶ機器１１に無線ネットワークを介して機器識別子要求をたとえばブロードキャスト形式で発行することにより、各他のＡＶ機器１１からそのＡＶ機器１１の機器識別子を収集する（ステップ４０４）。ここで、各ＡＶ機器１１の機器制御部１１０２は、無線ＬＡＮインタフェース１１０１を介して所定のネットワーク接続処理によってＬＡＮに接続し、ＬＡＮを介してシステムコントローラ１３から機器識別子要求を受け取ると、予め設定されている自ＡＶ機器１１の種別／型番を示す機器識別子をシステムコントローラ１３に応答する。
【００２０】
さて、システムコントローラ１３のシステム構成制御部１３２は、ＬＡＮに接続した各ＡＶ機器１１から機器識別子を収集したならば、無線通信装置１３１を介してＷＡＮ２に接続し、システム情報サーバ３に、各ＡＶ機器１１から収集した機器識別子と予め設定された自システムコントローラの機器識別子とのセットの通知を含めたシステム構成情報要求と、当該機器識別子のセットと予め設定されている自システムコントローラが設置されている自動車の車種識別情報との通知を含めたシステム特性情報要求とを発行する（ステップ４０６）。
【００２１】
システム情報サーバ３のシステム情報提供部３２は、システム構成情報要求を受け取ると、システム構成情報要求で通知された機器セットに対応するシステム構成情報をシステム構成データベース３３のオーディオ系システム構成情報とビジュアル系システム構成情報より抽出し、要求元のシステムコントローラ１３のシステム構成制御部１３２に送信する。また、システム情報サーバ３のシステム情報提供部３２は、システム特性情報要求を受け取ると、システム構成データベース３３のシステム特性情報要求で通知された車種識別子に対応する車種の車種システム音響特性情報から、システム特性情報要求で通知された機器セットに対応する音響特性データを抽出し、要求元のシステムコントローラ１３のシステム構成制御部１３２に送信する。
【００２２】
オーディオ系システム構成情報とビジュアル系システム構成情報と音響特性データを受け取ったシステムコントローラ１３のシステム構成制御部１３２は、以下のようにして、オーディオ系システム構成情報とビジュアル系システム構成情報に従ったシステム構成を設定する（ステップ４０８）。
【００２３】
すなわち、ＬＡＮを介して、オーディオ系システム構成情報とビジュアル系システム構成情報で定義されている各ＡＶ機器１１のオーディオ信号とビジュアル信号の経路に従い、各ＡＶ機器１１に、当該ＡＶ機器１１へのオーディオ信号の入力元となるＡＶ機器１１／システムコントローラ１３と当該ＡＶ機器１１からのオーディオ信号の出力先となるＡＶ機器１１／システムコントローラ１３との組み合わせと、当該ＡＶ機器１１へのビジュアル信号の入力元となるＡＶ機器１１／システムコントローラ１３と当該ＡＶ機器１１からのビジュアル信号の出力先となるＡＶ機器１１／システムコントローラ１３との組み合わせを通知する。なお、オーディオ信号がそのＡＶ機器１１を経由する経路が複数ある場合には、このオーディオ信号の入力元となるＡＶ機器１１／システムコントローラ１３とオーディオ信号の出力先となるＡＶ機器１１／システムコントローラ１３との組み合わせも複数存在することになる。ビジュアル信号についても同様である。
【００２４】
そして、オーディオ系システム構成情報とビジュアル系システム構成情報で定義されている当該ＡＶ機器１１のオーディオ信号とビジュアル信号の経路に従い、システム構成制御部１３２は、ＡＶデータ処理部１３３に、システムコントローラ１３へのオーディオ信号の入力元となるＡＶ機器１１とシステムコントローラ１３からのオーディオ信号の出力先となるＡＶ機器１１との組み合わせと、システムコントローラ１３へのビジュアル信号の入力元となるＡＶ機器１１とシステムコントローラ１３からのビジュアル信号の出力先となるＡＶ機器１１との組み合わせを設定する。
【００２５】
設定を受けた、ＡＶデータ処理部１３３は、オーディオ信号について設定された各組み合わせについて、当該組み合わせで入力元として設定されたＡＶ機器１１からＬＡＮを介して受信したオーディオ信号に対して処理を行い、当該組み合わせで出力先として設定されたＡＶ機器１１へＬＡＮを介して出力する。また、ビジュアル信号について設定された各組み合わせについて、当該組み合わせで入力元として設定されたＡＶ機器１１からＬＡＮを介して受信したビジュアル信号に対して処理を行い、当該組み合わせで出力先として設定されたＡＶ機器１１へＬＡＮを介して出力する。
【００２６】
また、システムコントローラ１３から上記組み合わせの通知を受けた各ＡＶ機器１１の機器制御部１１０２は、ＡＶデータ処理部１１０３に、通知された組み合わせを設定する。そして、設定を受けた、ＡＶデータ処理部１１０３は、オーディオ信号について設定された各組み合わせについて、当該組み合わせで入力元として設定されたＡＶ機器１１／システムコントローラ１３からＬＡＮを介して受信したオーディオ信号に対して処理を行い、当該組み合わせで出力先として設定されたＡＶ機器１１／システムコントローラ１３へＬＡＮを介して出力する。また、ビジュアル信号について設定された各組み合わせについて、当該組み合わせで入力元として設定されたＡＶ機器１１／システムコントローラ１３からＬＡＮを介して受信したビジュアル信号に対して処理を行い、当該組み合わせで出力先として設定されたＡＶ機器１１／システムコントローラ１３へＬＡＮを介して出力する。
【００２７】
そして、最後にシステムコントローラ１３のシステム構成制御部１３２は、システム情報サーバ３のシステム情報提供部３２から受信した音響特性データが示す各ＡＶ機器１１の音響特性をＬＡＮを介して各ＡＶ機器１１に通知すると共に、当該音響特性データが示す自システムコントローラの音響特性をＡＶデータ処理部１３３に設定し（ステップ４１０）、処理を終了する。以降、ＡＶデータ処理部１３３は、設定された音響特性をもってオーディオ信号の処理を行う。また、音響特性が通知された各ＡＶ機器１１の機器制御部１１０２は、通知された音響特性をＡＶデータ処理部１１０３に設定し、音響特性の設定を受けたＡＶデータ処理部１１０３は、以降、設定された音響特性をもってオーディオ信号の処理を行う。
【００２８】
以上、システムコントローラ１３のシステム構成制御部１３２が行うシステム構成処理について説明した。
ここで、以上のシステム構成処理による車載ＡＶシステム１の自動構成例を示す。
図５ａは、オーディオプロセッサ１１４よりも簡易な音響処理機能がＡＶデータ処理部１３３に組み込まれたシステムコントローラ１３の他に、ＡＶ機器１１としてＣＤプレイヤ１１３と、ユーザインタフェース制御装置１１５とオーディオアンプ１１１が車載ＡＶシステム１に組み込まれた場合の自動構成例を示したものである。また、予めシステム情報サーバ３のシステム構成データベース３３にオーディオ系システム構成情報として、システムコントローラ１３、ＣＤプレイヤ１１３、ユーザインタフェース制御装置１１５、オーディオアンプ１１１の機器識別子のセットに対して、ＣＤプレイヤ１１３−システムコントローラ１３−オーディオアンプ１１１の順にオーディオ信号が経由する経路が定義されている場合についてのものである。図中に矢印で示すようなオーディオ信号の経路が自動的に設定され、ＣＤプレイヤ１１３で再生されたオーディオ信号がシステムコントローラ１３に送られ、システムコントローラ１３のＡＶデータ処理部１３３で所定の音響処理が施された後に、オーディオアンプ１１１に送られ、スピーカ１１２から出力される車載ＡＶシステム１の自動構成が実現される。
【００２９】
また、予めシステム情報サーバ３のシステム構成データベース３３にオーディオ系システム構成情報として、システムコントローラ１３、ＣＤプレイヤ１１３、ユーザインタフェース制御装置１１５、オーディオアンプ１１１、オーディオプロセッサ１１４の機器識別子のセットに対して、ＣＤプレイヤ１１３−オーディオプロセッサ１１４−オーディオアンプ１１１の順にオーディオ信号が経由する経路が定義されているものとすると、図５ａの車載ＡＶシステム１に対して、図５ｂに示すように新たなＡＶ機器１１としてオーディオプロセッサ１１１４がユーザによって追加された場合には、追加後の最初の車載ＡＶシステム１の起動時に、図中に矢印で示すようなオーディオ信号の経路が自動的に設定され、ＣＤプレイヤ１１３で再生されたオーディオ信号がオーディオプロセッサ１１４に送られて所定の音響処理を施された後にオーディオアンプ１１１に送られてスピーカ１１２から出力される車載ＡＶシステム１の自動再構成、すなわち、システムコントローラ１３の簡易な音響処理に代えてオーディオプロセッサ１１４において高度な音響処理を行う車載ＡＶシステム１の自動構成を行うことができる。
【００３０】
以上、本発明の実施形態について説明した。
ところで以上では、各ＡＶ機器１１のＬＡＮへの接続に無線通信用いたが、各ＡＶ機器１１は有線通信によってＬＡＮに接続するようにしてもよい。また、逆にシステムコントローラ１３を無線通信によってＬＡＮに接続するようにしてもかまわない。
また、以上では各ＡＶ機器１１間のオーディオ信号やビジュアル信号の経路と各ＡＶ機器１１の音響特性を各ＡＶ機器１１に自動設定する場合について説明したが、本実施形態は、車載ＡＶシステム１を構成するＡＶ機器１１の種別の組み合わせに少なくとも応じて、各ＡＶ機器１１の任意の特性や属性を自動設定する場合について同様に適用することができる。
【００３１】
以上のように本実施形態によれば、各ＡＶ機器１１間のオーディオ信号やビジュアル信号の経路や、各ＡＶ機器１１の音響特性や、その他の各ＡＶ機器１１の特性や属性の設定を、ユーザの手を煩わせることなくシステム情報提供サーバに蓄積された情報に従って自動設定することができる。したがって、新しい種別のＡＶ機器１１の発売等にあわせて、当該新たなＡＶ機器１１を含む複数のＡＶ機器１１により構成される車載ＡＶシステム１についての情報を適切にシステム情報提供サーバに蓄積するようにすれば、個々の車載ＡＶシステム１に含まれるＡＶ機器１１の組み合わせや新旧にかかわらず、当該車載ＡＶシステム１の適切な自動構成を実現することができる。
【図面の簡単な説明】
【００３２】
【図１】本発明の実施形態に係る車載ＡＶシステムの構成を示すブロック図である。
【図２】本発明の実施形態に係るシステム情報サーバ、システムコントローラ、ＡＶ機器の構成を示すブロック図である。
【図３】本発明の実施形態に係るシステム情報サーバに蓄積するシステム構成情報とシステム特性情報を示す図である。
【図４】本発明の実施形態に係るシステムコントローラの自動構成処理を示すフローチャートである。
【図５】本発明の実施形態に係る車載ＡＶシステムの自動構成例を示す図である。
【符号の説明】
【００３３】
１…車載ＡＶシステム、２…ＷＡＮ、３…システム情報サーバ、１１…ＡＶ機器、１２…無線ステーション、１３…システムコントローラ、３１…ＷＡＮインタフェース、３２…システム情報提供部、３３…システム構成データベース、３４…システム特性データベース、１３１…無線通信装置、１３２…システム構成制御部、１３３…ＡＶデータ処理部、１３４…ＬＡＮインタフェース、１１０１…無線ＬＡＮインタフェース、１１０２…機器制御部、１１０３…ＡＶデータ処理部。
【図１】
2005176005.tif 000003
【図２】
2005176005.tif 000004
【図３】
2005176005.tif 000005
【図４】
2005176005.tif 000006
【図５】
2005176005.tif 000007